(57)【特許請求の範囲】
【請求項１】
長手方向に長く形成されたバンドと、
内部に案内された前記バンドの一端部は固定させ、他端部は外部に引き出されるように形成された本体と、
前記本体に設けられ、前記バンドに作用するテンションに応じて特定の位置で前記バンドにマーキングすることができるように形成されたマーキング部と、
前記本体に形成され、前記バンドを一定の位置で停止させるストッパーと、を含んでなることを特徴とする、自動テンション測定器。
【請求項２】
前記本体には、
前記バンドの一端部が結合されて案内される第１案内路と、
前記バンドの他端部が結合されて案内され、前記本体の外側に引き出されるように形成された第２案内路と、が形成されることを特徴とする、請求項１に記載の自動テンション測定器。
【請求項３】
前記第１案内路の一側には、前記バンドの一端部を前記本体の一側で固定させるバンド固定部が形成されることを特徴とする、請求項２に記載の自動テンション測定器。
【請求項４】
前記第２案内路と連通するように形成され、前記バンドの特定部分を外部に露出させるウィンドウ部を備えることを特徴とする、請求項２に記載の自動テンション測定器。
【請求項５】
前記ウィンドウ部の一定領域には前記マーキング部が備えられ、前記露出されたバンドの特定位置をマーキングすることができるようにすることを特徴とする、請求項４に記載の自動テンション測定器。
【請求項６】
前記マーキング部は、前記露出されたバンドの特定位置を弾性的に押圧することによって前記マーキングを具現することを特徴とする、請求項５に記載の自動テンション測定器。
【請求項７】
前記第２案内路と連通するように形成され、前記ストッパーが作動する遊動距離を提供する収容部を備えることを特徴とする、請求項２に記載の自動テンション測定器。
【請求項８】
前記ストッパーは、
前記収容部に結合される押圧部と、
一側が前記本体に固定された状態で前記押圧部に当接し、前記押圧部の動作によって他側が弾性的に垂直作動するように形成された弾性板と、
前記弾性板の他側に形成され、前記弾性板の弾性的垂直作動によって前記バンドの位置を固定させるか解除させる固定突起と、を含んでなることを特徴とする、請求項７に記載の自動テンション測定器。
【請求項９】
前記固定突起は、前記バンドが前記本体の一方向に外部に引き出された状態で前記バンドの位置を固定させ、その反対方向には前記バンドが動けないように前記バンドの進行方向に対してもっと小さい傾斜を有するように形成されることを特徴とする、請求項８に記載の自動テンション測定器。
【請求項１０】
前記マーキング部に隣接して前記本体の一方向に形成され、前記第１案内路及び第２案内路と連通して外部に前記バンドを露出させることにより、前記バンドを切断することができるようにする切断溝を備えることを特徴とする、請求項２に記載の自動テンション測定器。
【請求項１１】
前記バンドは、腸バンド、補助バンド及び腸バンド／補助バンドのいずれか一つであることを特徴とする、請求項１に記載の自動テンション測定器。
【請求項１２】
前記バンドは、他端部に、一定のテンションで引っ張るときに切断される切断予定部を備えることを特徴とする、請求項１に記載の自動テンション測定器。
【請求項１３】
前記自動テンション測定器は、前記バンドに作用するテンションを測定し、一定のテンションとなるときに前記ストッパーが作動し、その位置で前記バンドにマーキングすることができるように形成されることを特徴とする、請求項１に記載の自動テンション測定器。
【請求項１４】
前記バンドは、前記ストッパーがかかるように長手方向に複数の係止孔が形成され、前記ストッパーによって前記バンドの位置を停止させることを特徴とする、請求項１に記載の自動テンション測定器。
【請求項１５】
前記バンドは、特定の位置に表示部が形成されることを特徴とする、請求項１に記載の自動テンション測定器。
【請求項１６】
前記バンドに作用するテンションに応じて前記マーキング部によって前記バンドにマーキングされた部分から前記バンドが人工腸管器の固定部チューブに接する部分までの距離（ｄ）が５ｍｍ〜１５ｍｍであることを特徴とする、請求項１〜１５のいずれか一項に記載の自動テンション測定器。
【発明の詳細な説明】
【技術分野】
【０００１】
本発明は自動テンション測定器に関するもので、バンドに作用するテンションに応じてバンドの特定の位置にマーキングを行って理想的な腸バンドの長さを容易に推定することができるようにした自動テンション測定器に関するものである。
【背景技術】
【０００２】
大膓癌は結腸と直腸で発生する悪性腫瘍であり、大部分が大腸の粘膜で発生する腺癌である。腺癌以外にも、まれに扁平上皮癌、悪性リンパ腫、悪性肉腫、悪性カルチノイド腫瘍などが発見され、時には周りの臓器の癌が大腸を侵襲するか、他の部位で発生した癌が大腸に転移することもある。腺癌の大部分は腺腫である良性腫瘍（ポリープ）が進んで発生する。
【０００３】
このような大膓癌は、病変の位置を基準に、上行及び下行結腸癌と直膓癌に区分することができ、上行結膓癌に比べては下行結腸癌が、かつ下行結腸癌に比べては直膓癌の発病率が高い。これは、膵膓酵素の影響を下に行くほど小さく受けるからであると言える。
【０００４】
一般に、大腸手術は、発病部位の上下端部を切開し、正常部位を連結及び縫合する過程を経ることになる。しかし、手術後に吻合部位で発生する漏出（ｌｅａｋａｇｅ）は手術後に深刻な余病を引き起こし、患者の生命を脅かすことができる。また、長期的に吻合部の狭窄を引き起こし、患者の生の質を深刻に低下させる。
【０００５】
大腸手術後の漏出発生頻度は約８％〜２５％の非常に高い数値として報告されている。また、手術後に回復期を経て正常な排便活動が可能な結腸癌患者とは違い、一番発病率の高い直膓癌は肛門を生かしても肛門に隣接した部位まで除去するから、手術後に回復しても正常な排便活動に深刻な障害が伴う。
【０００６】
このような吻合部の漏出による被害を減らすために通常施行する一時的腸瘻（腹部人工肛門）は大腸の蠕動運動による排便活動ができなくて常時便が漏出するから、排便用かばんを常時着用しなければならない。これにより、活動性の制限、漏出した便による悪臭が問題となることができる。
【０００７】
このような人工肛門の管理は非常に煩わしくて不便な方法であり、何よりも漏出した便による悪臭、周りの人の偏見、活動性の制限、一般衣服着用時の不便さなどの原因で、かなり多くの患者が極甚な精神的な苦痛を受け、生の質を低下させている。
【０００８】
このような問題点を解決するためには、最近には便迂回のための人工腸管器が提供されている。
【０００９】
従来の人工腸管器は腸管部チューブと一対の固定部チューブの形態に形成され、腸管の内部に人工腸管器を挿入し、腸管の外で固定部チューブの間を腸管とともに腸管バンドで固定している。
【００１０】
このような人工腸管器の使用に最も重要なものは人工腸管器を腸管に安定的に固定することであり、固定によって腸管の壊死が起こってはいけなく、一定の時期が経てば除去が容易でなければならない。
【００１１】
このために、生分解性バンドに対して研究が活発に進んでいる実情である。
【００１２】
このような生分解性バンドは前記固定部チューブの間に結合されるものであり、人工腸管器を安定的に固定していなければならなく、蠕動運動にも変形や緩みが最小化しなければならなく、また固定によって腸管の壊死が発生しないようにしなければならないので、所定の長さで適正なテンションを有するように供給することが非常に重要である。
【００１３】
従来の生分解性バンドの設置は、適正の長さと推定された生分解性バンドを手動で固定部チューブの間で腸管の周りに回して縫合することによってなされるか、一定の長さで縫合及び切断ができるようにするバンド取付機によってなされていた。
【００１４】
しかし、前記のような方法によっては、患者に相応しい長さ、すなわち適切なテンションでのバンドの供給が容易でなく、手術時に速かに患者に相応しいバンドとしての供給が容易でない問題点がある。
【発明の概要】
【発明が解決しようとする課題】
【００１５】
本発明は前記問題点を解決するためのものであり、バンドに作用するテンションに応じてバンドの特定の位置にマーキングを行って理想的な腸バンドの長さを容易に推定することができる自動テンション測定器を提供することをその目的とする。
【課題を解決するための手段】
【００１６】
前記目的を達成するために、本発明は、長手方向に長く形成されたバンドと、内部に案内された前記バンドの一端部は固定させ、他端部は外部に引き出されるように形成された本体と、前記本体に設けられ、前記バンドに作用するテンションに応じて特定の位置で前記バンドにマーキングすることができるように形成されたマーキング部と、前記本体に形成され、前記バンドを一定の位置で停止させるストッパーとを含んでなることを特徴とする自動テンション測定器を要旨とする。
【００１７】
また、前記本体には、前記バンドの一端部が結合されて案内される第１案内路と、前記バンドの他端部が結合されて案内され、前記本体の外側に引き出されるように形成された第２案内路とが形成されることが好ましい。
【００１８】
また、前記第１案内路の一側には、前記バンドの一端部を前記本体の一側で固定させるバンド固定部が形成されることが好ましく、前記第２案内路と連通するように形成され、前記バンドの特定部分を外部に露出させるウィンドウ部を備えることが好ましい。
【００１９】
また、前記ウィンドウ部の一定領域には前記マーキング部が備えられ、前記露出されたバンドの特定位置をマーキングすることができるようにすることが好ましく、前記露出されたバンドの特定位置を弾性的に押圧することによって前記マーキングを具現することが好ましい。
【００２０】
また、前記第２案内路と連通するように形成され、前記ストッパーが作動する遊動距離を提供する収容部を備え、前記ストッパーは、前記収容部に結合される押圧部と、一側が前記本体に固定された状態で前記押圧部に当接し、前記押圧部の動作によって他側が弾性的に垂直作動するように形成された弾性板と、前記弾性板の他側に形成され、前記弾性板の弾性的垂直作動によって前記バンドの位置を固定させるか解除させる固定突起とを含んでなることが好ましい。
【００２１】
また、前記固定突起は、前記バンドが前記本体の一方向に外部に引き出された状態で前記バンドの位置を固定させ、その反対方向には前記バンドが動けないように前記バンドの進行方向に対してもっと小さい傾斜を有するように形成されることが好ましい。
【００２２】
一方、前記マーキング部に隣接して前記本体の一方向に形成され、前記第１案内路及び第２案内路と連通して外部に前記バンドを露出させることにより、前記バンドを切断することができるようにする切断溝を備えることが好ましい。
【００２３】
ここで、前記バンドは、腸バンド、補助バンド及び腸バンド／補助バンドのいずれか一つであることが好ましい。
【００２４】
また、前記バンドは、他端部に、一定のテンションで引っ張るときに切断される切断予定部を備えることが好ましく、前記ストッパーがかかるように長手方向に複数の係止孔が形成され、前記ストッパーによって前記バンドの位置を停止させ、また前記バンドは、特定の位置に表示部が形成されることが好ましい。
【００２５】
また、前記自動テンション測定器は、前記バンドに作用するテンションを測定し、一定のテンションとなるとき、前記ストッパーが作動し、その位置で前記バンドにマーキングすることができるように形成されることが好ましい。
【００２６】
一方、前記自動テンション測定器は、前記バンドに作用するテンションに応じて前記マーキング部によって前記バンドにマーキングされた部分から前記バンドが人工腸管器の固定部チューブに接する部分までの距離が５ｍｍ〜１５ｍｍであることが好ましい。
【発明の効果】
【００２７】
本発明は人工腸管器固定用腸バンドの理想的な長さを推正するためのものであり、バンドに作用するテンションに応じてバンドの特定の位置にマーキングを行って理想的な腸バンドの長さを容易に推定することができる自動テンション測定器を提供することができる効果がある。
【００２８】
特に、前記バンドの一端部を固定させた後、人工腸管器の固定部チューブの間に位置させ、前記バンドの他端部を移動させながら、一定の張力が作用するときの特定の位置をマーキングすることにより、患者に最も相応しい腸バンドの長さを推正することができ、使用者に合わせて腸バンドの迅速な適用が可能な効果がある。
【図面の簡単な説明】
【００２９】
【図１】本発明の一実施例の斜視図である。
【図２】本発明の一実施例の分解斜視図である。
【図３】本発明の一実施例による補助バンドの正面図である。
【図４】本発明の一実施例の断面図である。
【図５】本発明のストッパーの固定突起の実施例を示した図である。
【図６】本発明の一実施例の作動例示図である。
【発明を実施するための形態】
【００３０】
本発明は人工腸管器固定用腸バンドの理想的な長さを推正するためのものであり、腸バンド、補助バンド又は腸バンド／補助バンド（以下、“バンド”と言う）に作用するテンションに応じてバンドの特定の位置にマーキングを行って理想的な腸バンドの長さを容易に推定することができる自動テンション測定器に関するものである。
【００３１】
特に、前記バンドの一端部を固定させた後、人工腸管器の固定部チューブの間に位置させ、前記バンドの他端部を移動させながら、一定のテンションが作用するときの特定の位置をマーキングすることにより、患者に最も相応しい腸バンドの長さを推正することができ、使用者に合わせて腸バンドの迅速な適用ができるようにしたものである。
【００３２】
以下では、添付図面を参照して本発明の一実施例について詳細に説明する。
【００３３】
図１は本発明の一実施例の斜視図、図２は本発明の一実施例の分解斜視図、図３は本発明の一実施例による補助バンドの正面図、図４は本発明の一実施例の断面図、図５は本発明のストッパーの固定突起の実施例を示した図、図６は本発明の一実施例の作動例示図を示したものである。
【００３４】
図示のように、本発明による自動テンション測定器は、バンド１００と、内部に案内された前記バンド１００の一端部は固定させ、他端部は外部に引き出されるように形成された本体２００と、前記本体２００に設けられ、前記バンド１００に作用するテンションに応じて特定の位置で前記バンド１００にマーキングすることができるように形成されたマーキング部３００と、前記本体２００に形成され、前記バンド１００を一定の位置で停止させるストッパー４００とを含んでなることを特徴とする。
【００３５】
すなわち、バンド１００を自動テンション測定器の内部に結合させ、人工腸管器１０の固定部チューブ１１の間を取り囲んだ後、前記バンド１００に一定の張力が作用するとき、前記バンド１００の特定の位置をマーキングし、その位置を固定させることにより、理想的な腸バンドの長さを推定することができるようにしたものである。
【００３６】
まず、本発明によるバンド１００は、長手方向に長く形成され、公知の人工腸管器１０の固定のための生分解性腸バンド、補助バンド、及び生分解性腸バンドと補助バンドが重なってなる腸バンド／補助バンドのいずれか一つに形成される。腸バンドと補助バンドを一緒に使用する場合には、内側、すなわち腸管に接する部位に補助バンドを位置させる。
【００３７】
一般に、腸バンドは原糸を用いて製織された形態のものであり、人工腸管器１０を固定しているときに緩んではいけなく、ある程度引張強度を有するとともに大腸の蠕動運動にも変形があってはいけないし、大腸の外壁を損傷させないながらも一定の期間後に生分解する素材からなる。通常メッシュ状の生分解性縫合糸などから製織されて提供されている。
【００３８】
そして、前記補助バンド１００はポリウレタンのようなポリマー素材から形成され、滑らかで透明な素材から形成される。
【００３９】
前記腸バンド及び補助バンドはテンションを加えながら引っ張るときに延び、あるテンション以上となれば自動で切れる素材から形成されるか、あるテンション以上となれば自動で切れる形態に形成される。
【００４０】
以下では、本発明の一実施例において補助バンドを使う場合について重点的に説明する。
【００４１】
図３に示したように、補助バンド１００の他端部に、一定のテンションで引っ張るときに切断される切断予定部１１０が形成されている。これはおよそ１ｋｇ〜１．５ｋｇの力で引っ張るときに切断されるように具現されたものであり、人工腸管器１０の固定部チューブ１１の間で腸管を取り囲み、一定のテンションで切れるときの補助バンド１００の長さが理想的な腸バンドの長さと推定できるように設計されている。
【００４２】
また、前記補助バンド１００に作用するテンションを測定し、一定のテンションとなるときに前記ストッパーが作動して、その位置で前記補助バンド１００にマーキングができるように形成し、これを基準に理想的な腸バンドの長さが推定できるように設計することができる。すなわち、前記補助バンド１００に加わるテンション、すなわち圧力を測定するために圧力センサーを取り付けて所定の圧力値を設定し、この圧力となるときに前記ストッパーが自動で作動するようにすることにより、自動でテンションの測定ができるようにしたものである。
【００４３】
一方、補助バンドの代わりに腸バンドを直ぐ使うこともでき、腸バンド／補助バンドの組合せでも使うことができる。腸バンド／補助バンドの組合せの場合、腸バンドと補助バンドが別に遊ばないように固定具で部分的に互いに固定して提供することもできる。
【００４４】
また、前記補助バンド１００には、ストッパー４００がかかるように、長手方向に複数の係止孔１２０が形成され、前記ストッパー４００によって前記補助バンド１００の位置を固定させるようにし、前記補助バンド１００は全体的にサイズ推定のための目盛りが表示されているか、理想的な長さと推定可能な有効領域を予め表示しておいた特定の位置に、図３に示したように、表示部１３０が形成されることができる。
【００４５】
そして、前記本体２００は、内部に案内された前記補助バンド１００の一端部は固定させ、他端部は外部に引き出されるように形成されたものであり、内部には補助バンド１００が結合され、後述するマーキング部３００及びストッパー４００が一側に設けられた構造を有する。
【００４６】
本発明の一実施例で、前記本体２００には、前記補助バンド１００の一端部が結合されて案内される第１案内路２１０と、前記補助バンド１００の他端部が結合されて案内され、前記本体２００の外側に引き出されるように設けられた第２案内路２２０とが形成される。
【００４７】
前記第１案内路２１０の一側には、前記補助バンド１００の一端部を前記本体２００の一側に固定させるバンド固定部２３０が形成され、前記補助バンド１００の一端部が結合されて案内され、前記第１案内路２１０を通って本体２００の一側まで引き出されれば、本体２００の一側に形成されたバンド固定部２３０によって前記補助バンド１００の一端部が固定される。
【００４８】
前記バンド固定部２３０は前記補助バンド１００の一端部を本体２００の一側に固定させるものであり、補助バンド１００の一端部をやっとこ方式で噛み合っているか、図示のように、雄雌型バンド固定部２３０として設けられることで、前記補助バンド１００に係合孔１４０が形成され、これに雄型バンド固定部２３２に係合されれば、これに雌型バンド固定部２３１が結合されることにより、補助バンド１００の一端部が本体２００の一側に堅固に固定される。
【００４９】
前記第２案内路２２０は前後が開放し、これに前記補助バンド１００が挿合され、本体２００の内部を通過して本体２００の外側に引き出されるように形成され、前記補助バンド１００の一端部が前記バンド固定部２３０によって固定された状態で、前記第２案内路２２０を通過した補助バンド１００の他端部が本体２００の外側に引き出されれば、これに一定のテンションが加わることによって前記補助バンド１００の他端部が引っ張られる。
【００５０】
これにより、前記補助バンド１００の他端部に形成された切断予定部１１０が切断され、その補助バンド１００が引っ張られた位置をマーキングすることにより、理想的な腸バンドの長さを推正することができるようにするものである。
【００５１】
また、前記本体２００には、第２案内路２２０と連通するように形成され、前記補助バンド１００の特定部分を外部に露出させるウィンドウ部２４０が設けられる。
【００５２】
前記ウィンドウ部２４０は前記補助バンド１００の他端部が引っ張られるときに前記補助バンド１００が移動する状態を観察することができるようにするものであり、前記補助バンド１００の表示部１３０を外部から認知することができる。
【００５３】
そして、マーキング部３００は前記本体２００に設けられることにより、特定の位置で前記補助バンド１００にマーキングすることができるように形成される。
【００５４】
具体的には、前記ウィンドウ部２４０の一定領域に前記マーキング部３００が備えられることにより、前記露出された補助バンド１００の特定の位置をマーキングすることができるようにする。
【００５５】
すなわち、一定のテンションで前記補助バンド１００が引っ張られて前記切断予定部１１０が切断されれば、その瞬間ウィンドウ部２４０を通して露出された補助バンド１００にマーキングを遂行するように構成されている。
【００５６】
前記補助バンド１００へのマーキングは筆記具で表示するか、本発明の一実施例によって、前記露出された補助バンド１００の特定の位置を弾性的に押し込む方法で前記マーキング部３００を具現することができる。
【００５７】
前記マーキング部３００はウィンドウ部２４０の一定領域に備えられ、一実施例で、全体的に金属板から形成され、前記ウィンドウ部２４０の両側に固定されてウィンドウ部２４０を覆うように形成され、特定の位置に補助バンド１００へのマーキングのための凸型ピン３１０が備えられ、第２案内路２２０を通過する補助バンド１００の特定の位置で前記マーキング部３００を押圧することにより、前記凸型ピン３１０によって補助バンド１００にマーキングを行う。
【００５８】
前記マーキング部３００は金属薄板によって上下に弾性力が作用するように形成され、補助バンド１００の特定位置へのマーキングの後には再び元の位置に復元するように形成される。
【００５９】
そして、前記ストッパー４００は前記本体２００に形成され、前記補助バンド１００を一定の位置に停止させるものである。具体的には、前記第２案内路２２０と連通するように形成され、前記ストッパー４００が作動する遊動距離を提供する収容部２５０に結合され、前記マーキング部３００によってマーキングが完了すれば、その位置で補助バンド１００を固定させる役割をするものである。
【００６０】
前記ストッパー４００は、前記収容部２５０に結合される押圧部４１０、一側が前記本体２００に固定された状態で前記押圧部４１０に当接し、前記押圧部４１０の動作によって他側が弾性的に垂直に作動するように形成された弾性板４２０と、前記弾性板４２０の他側に形成され、前記弾性板４２０の弾性的垂直作動によって前記補助バンド１００の位置を固定させるか解除させる固定突起４３０とを含んでなる。
【００６１】
前記押圧部４１０は前記収容部２５０の外側に露出されるように形成され、使用者が押圧部４１０を動作させれば、前記弾性板４２０が上下に動くことになるが、前記弾性板４２０の一側が前記本体２００に固定された状態で動くので、前記押圧部４１０の動作によって前記弾性板４２０の他側のみ弾性的に垂直に作動する。前記弾性板４２０の他側には固定突起４３０が形成されることにより、弾性板４２０の弾性的垂直作動によって前記補助バンド１００を固定させるか解除させることになる。
【００６２】
すなわち、前記補助バンド１００を自由に移動させようとする場合には、前記押圧部４１０を本体２００の一側に押して（図６ａ）、前記弾性板４２０の他側が上側に移動するようにし、前記補助バンド１００を固定させるか前記補助バンド１００の係止孔１２０に前記ストッパー４００（固定突起４３０）を係止させて移動させようとする場合には、前記押圧部４１０を本体２００の他側に押して（図６ｂ）、前記弾性板４２０の他側を下側に移動させる。
【００６３】
そして、前記弾性板４２０の他側に形成された固定突起４３０は、前記補助バンド１００が前記本体２００の一方向に外部に引き出された状態で前記補助バンド１００の位置を固定させ、その反対方向には前記補助バンド１００が動けないように前記補助バンド１００の進行方向に対してもっと小さい傾斜を有するように形成される。
【００６４】
図５は本発明の一実施例による弾性板４２０の底面斜視図を示す。本発明の一実施例による固定突起４３０は前記弾性板４２０の他側に形成され、下方に突出した板型（図５ａ）又は突起型（図５ｂ）に形成されて前記補助バンド１００の係止孔１２０にかかるように形成され、前記補助バンド１００の進行方向に対してもっと小さい傾斜を有するように形成されることにより、前記補助バンド１００が一側に（本体２００の一方向に）のみ移動し、その反対方向には移動することができないようにする（ｏｎｅ−ｗａｙ  ｓｔｏｐｐｅｒ）。
【００６５】
一方、前記マーキング部３００に隣接して前記本体２００の一方向に形成され、前記第１案内路２１０及び第２案内路２２０と連通して外部に前記補助バンド１００を露出させることにより、前記補助バンド１００の切断ができるようにする切断溝２６０がさらに形成される。
【００６６】
前記切断溝２６０は、上述したように、補助バンド１００の切断予定部１１０が切断され、補助バンド１００の特定の位置にマーキングが完了すれば（図６ｃ）、前記切断溝２６０を通して前記補助バンド１００を切断することができるようにして、前記本体２００から補助バンド１００の全体を引き出し、マーキングされた部分（第１基準）から前記第１案内路２１０に引き込まれた位置（第２基準）までを理想的な腸バンドの長さと推正することができる。
【００６７】
前記マーキングされた部分、すなわち第１基準から第２基準までの長さは本体２００の長さ又は形態によって調節することができ、腸バンドに有効な引張力を保障し、蠕動運動に邪魔にならないようにしながら腸バンドの縫合及び固定ができるように、本発明による自動テンション測定器によって提供された腸バンドの長さは少しの余裕があるように推定される。
【００６８】
ここで、前記自動テンション測定器は、前記補助バンド１００に作用するテンションに応じて、前記マーキング部３００によって前記補助バンド１００にマーキングされた部分から前記補助バンド１００が人工腸管器１０の固定部チューブ１１に接する部分までの距離（ｄ）が５ｍｍ〜１５ｍｍであることが好ましい。
【００６９】
これは上述した腸バンドの長さに少しの余裕を与えるためのものであり、前記補助バンド１００が引っ張られるときに切れるテンション（例えば、１〜２ｋｇ）に関連する。例えば、１ｋｇで引っ張られるときのテンションが作用するときに前記長さが１０ｍｍ程度であれば、１．５ｋｇで引っ張られるときには１３ｍｍ程度になる。
【００７０】
また、前記補助バンド１００の切断予定部１１０が切断され、補助バンド１００の特定の位置にマーキングが完了すれば（図６ｃ）、前記切断溝２６０によって補助バンド１００を引き出すものではなくて前記ストッパー４００を本体２００の一方向に移動させて前記弾性板４２０を上昇させて前記固定突起４３０と前記補助バンド１００の係止孔１２０の係合を解除させることにより、前記第２案内路２２０を通して前記補助バンド１００を前記本体２００の他方向に引き出すこともできる（図６ｄ）。この際、前記補助バンド１００にマーキングＭが表示されている状態となる。
【００７１】
上述したように、マーキングＭの部分、すなわち第１基準を中心に設定された第２基準までの長さが理想的な腸バンドの長さと推定することができる。
【００７２】
以下では、図６に示した本発明の一実施例による作動について説明する。
【００７３】
図６ａに示したように、補助バンド１００の一端部を前記本体２００の第１案内路２１０を通して入れた後、前記本体２００の一側のバンド固定部２３０によって固定させ、前記補助バンド１００の他端部を前記人工腸管器１０の固定部チューブ１１の間で回し、前記本体２００の第２案内路２２０を通して入れた後、前記本体２００の一側から引き出す。
【００７４】
このとき、前記ストッパー４００を前記本体２００の一方向に押し、前記弾性板４２０が上昇するようにして固定突起４３０と係止孔１２０の係合が解除されることにより、前記補助バンド１００の移動が自由になる。
【００７５】
図６ｂに示したように、ある程度補助バンド１００が移動すれば、前記ストッパー４００を前記本体２００の他方向に押して前記弾性板４２０を下降させて固定突起４３０が係止孔１２０にかかることにより、前記補助バンド１００にテンションが次第に加わり、位置を固定させることにより緊張が加わるようになる。
【００７６】
図６ｃに示したように、腸管及び人工腸管器１０の固定部チューブ１１を固定するための適当なテンションで前記補助バンド１００の切断予定溝が切れれば、前記マーキング部３００を作動させて前記補助バンド１００の特定の位置にマーキングを遂行する。この状態で、前記補助バンド１００は前記ストッパー４００によって反対方向（本体２００の他方向）には移動することができない状態で固定される。
【００７７】
図６ｄに示したように、前記ストッパー４００を本体２００の一方向に移動させて前記弾性板４２０を上昇させて前記固定突起４３０と前記係止孔１２０の係合を解除させることにより、前記第２案内路２２０を通して前記補助バンド１００を前記の本体２００の他方向に引き出し、マーキングＭの部分（第１基準）から第２基準までの長さを測定して理想的な腸バンドの長さと推正するようになる。
【００７８】
このように、本発明は、人工腸管器固定用腸バンドの理想的な長さを推正するためのもので、腸バンド、補助バンド又は腸バンド／補助バンドに作用するテンションに応じてバンドの特定の位置にマーキングを行うことによって理想的な腸バンドの長さを容易に推定することができる自動テンション測定器を提供する。
【００７９】
特に、前記バンドの一端部を固定させた後、人工腸管器の固定部チューブの間に位置させ、前記バンドの他端部を移動させながら一定の張力が作用するときの特定の位置をマーキングすることにより、患者に最も相応しい腸バンドの長さを推正することができ、使用者に合わせて腸バンドの迅速な適用ができるようにしたものである。
【図１】
0006937454.tif 000002
【図２】
0006937454.tif 000003
【図３】
0006937454.tif 000004
【図４】
0006937454.tif 000005
【図５（ａ）】
0006937454.tif 000006
【図５（ｂ）】
0006937454.tif 000007
【図６ａ】
0006937454.tif 000008
【図６ｂ】
0006937454.tif 000009
【図６ｃ】
0006937454.tif 000010
【図６ｄ】
0006937454.tif 000011